(57)【要約】【課題】天井板の意匠面を傷付けることなく中間側板を嵌め込むことのできるエレベータの乗かごの提供。  【解決手段】乗かご１の壁面を構成する側板を複数枚に分割し、中間側板３ｂを除く他の側板を天井板９、床枠７および隣接側板に固定した後、中間側板３ｂを乗かご１の内側から嵌め込み固定するエレベータの乗かごにおいて、中間側板３ｂが固定される所定床枠８０の高さ寸法を他の床枠の高さ寸法より低く設定可能とするとともに、この所定床枠８０を鉛直方向に移動可能とするスライド手段１０を備え、中間側板３ｂを嵌め込んだ後、所定床枠８０を中間側板３ｂと共に天井板９方向に押し上げて固定することを特徴としている。【選択図】図１
2005178924.tif 000002
【特許請求の範囲】
【請求項１】
乗かごの壁面を構成する側板を複数枚に分割し、中間側板を除く他の側板を天井板、床枠および隣接側板に固定した後、前記中間側板を前記乗かごの内側から嵌め込み固定するエレベータの乗かごにおいて、
前記中間側板が固定される所定床枠の高さ寸法を他の床枠の高さ寸法より低く設定可能とするとともに、この所定床枠を鉛直方向に移動可能とするスライド手段を備え、前記中間側板を嵌め込んだ後、前記所定床枠を前記中間側板と共に前記天井板方向に押し上げて固定することを特徴とするエレベータの乗かご。
【請求項２】
上記請求項１記載の発明において、
前記スライド手段は、前記中間側板の下端が固定され、固定枠に対して鉛直方向に移動可能な移動枠と、この移動枠および前記固定枠の少なくとも一方に形成され鉛直方向が長手となる長穴と、この長穴を介して前記移動枠を前記固定枠に締結固定する締結具とから成ることを特徴とするエレベータの乗かご。
【発明の詳細な説明】
【技術分野】
【０００１】
本発明は、エレベータの乗かごに係り、特に、乗かごの壁面を構成する側板を複数枚に分割し、これらの側板を乗かごの内側から嵌め込み固定するエレベータの乗かごに関する。
【背景技術】
【０００２】
図３は本発明の対象となるエレベータの乗かごの平面図、図４は従来の中間側板の嵌め込み動作を示し、図３のＸ−Ｘ線に沿う側面図である。
【０００３】
エレベータの乗かご１は図３に示すように、乗かご１の両側面をそれぞれ構成する側面側板２ａ、２ｂ、２ｃと、乗かご１の背面を構成する背面両脇側板３ａ、３ｃおよび背面中間側板３ｂと、出入口に配設されるかごドア４と、かごドア４の両側に立設される出入口柱５と、出入口柱５と側面側板２ａ間に配設される前面側板６とを備えている。また、前記の背面中間側板３ｂは図４に示すように、乗かご１の床７に固定された床枠８と、乗かご１の天井を構成する天井板９との間に配設される。さらに、前記の床枠８は図４に示すように、その上端、下端に折曲部８ａ、８ｂを有し、折曲部８ｂが床７と当接する。また、背面中間側板３ｂも、その上端、下端に折曲部３ｂ１、３ｂ２を有し、折曲部３ｂ１が天井板９、折曲部３ｂ２が床枠８の折曲部８ａと当接する。
【０００４】
このように構成された従来の乗かご１にあってその組立は、まず側面側板２ａ〜２ｃ、背面両脇側板３ａ、３ｃおよび前面側板６のそれぞれを天井板９、床枠８および隣接側板に固定した後、背面中間側板３ｂを乗かご１の内側から水平移動させて嵌め込み固定するようになっている（例えば、特許文献１、特許文献２参照。）。
【特許文献１】特開昭６３−２７７１８８号公報  （第２頁、左欄下段２０行−右欄下段１５行、第３図）
【特許文献２】特開平３―１９２０８８号公報  （第４頁、右欄上段１行−左欄下段１２行、第1図）
【発明の開示】
【発明が解決しようとする課題】
【０００５】
しかしながら、前述した従来のものでは、背面中間側板３ｂを嵌め込む際、作業者は背面中間側板３ｂの両脇を把持して作業を行うことから、この背面中間側板３ｂを水平移動させることは実質不可能であり、図４に示すように背面中間側板３ｂの下端を支点として回動させながら床枠８と天井板９間に嵌め込むことになる。しかし、矢印Ｚに示すように背面中間側板３ｂの嵌め込み時にこの背面中間側板３ｂの上端と天井板９が干渉し、天井板９の意匠面を傷付けてしまうという問題があった。
【０００６】
本発明は、上述した従来技術における実情からなされたもので、その目的は、天井板の意匠面を傷付けることなく中間側板を嵌め込むことのできるエレベータの乗かごを提供することにある。
【課題を解決するための手段】
【０００７】
前記目的を達成するために、本発明は、乗かごの壁面を構成する側板を複数枚に分割し、中間側板を除く他の側板を天井板、床枠および隣接側板に固定した後、前記中間側板を前記乗かごの内側から嵌め込み固定するエレベータの乗かごにおいて、前記中間側板が固定される所定床枠の高さ寸法を他の床枠の高さ寸法より低く設定可能とするとともに、この所定床枠を鉛直方向に移動可能とするスライド手段を備え、前記中間側板を嵌め込んだ後、前記所定床枠を前記中間側板と共に前記天井板方向に押し上げて固定することを特徴としている。
【０００８】
このように構成した本発明は、乗かごの側板の組立は、まず中間側板を除く他の側板を天井板、床枠および隣接側板に固定する。そして、中間側板が固定される所定床枠を下げた状態とし、この状態で中間側板を嵌め込み、次いで、スライド手段を介して所定床枠を中間側板と共に天井板方向に押し上げて固定する。このように、中間側板を嵌めこむ際に所定床枠を下げた状態とし、中間側板の上下に十分な余裕を確保することができることから、中間側板が天井板に干渉することがなく、したがって、天井板の意匠面に傷が付くことを防止できる。
【発明の効果】
【０００９】
本発明は、中間側板の嵌め込み時に天井板に干渉することがなく、したがって、乗かごの側板の組立時に天井板の意匠面に傷が付くことを防止し、顧客に対して質の高い製品の納入を行うことができる。
【発明を実施するための最良の形態】
【００１０】
以下、本発明に係るエレベータの乗かごの実施形態を図に基づいて説明する。
【００１１】
図１は本発明の第１実施形態の要部構成を示し、（ａ）は中間側板を下げた状態、（ｂ）は中間側板を押し上げた状態を示す側面図、図２は中間側板を下げた状態の正面図である。なお、前述した図４に示すものと同等のものには同一符号が付してある。すなわち、１は乗かご、３ａ、３ｃは背面両脇側板、３ｂは背面中間側板、７は床、８は床枠、９は天井板である。また、乗かご１の基本的な構成は前述した図３に示すものと同等であることから説明を省略する。
【００１２】
本実施形態に示すエレベータは図１、２にあるように、中間側板、すなわち背面中間側板３ｂが固定される所定床枠８０の高さ寸法を他の床枠８の高さ寸法より低く設定可能とするとともに、この所定床枠８０を鉛直方向に移動可能とするスライド手段１０を備えている。スライド手段１０は、背面中間側板３ｂの下端が固定され、固定枠に対して鉛直方向に移動可能な移動枠１１と、この移動枠１１および固定枠１２の少なくとも一方に形成され鉛直方向が長手となる長穴１３と、この長穴１３を介して移動枠１１を固定枠１２に締結固定する締結具、すなわちボルト１４およびナット１５とから成っている。また、図２に示すように移動枠１１を下げた状態で、この移動枠１１の上端から天井板９までの長さ寸法Ｈ２が、背面中間側板３ｂの長さ寸法Ｈ１より長くなるように設定されている。なお、背面中間側板３ｂの上端には折り曲げ部３ｂ１、下端には折り曲げ部３ｂ２が形成されるとともに、移動枠１１もその上端に折り曲げ部１１ａが形成されている。
【００１３】
本実施形態にあっては、乗かごの側板を組立てる場合、まず背面中間側板３ｂを除く他の側板、すなわち、前述した図３に示す側面側板２ａ〜２ｃ、背面両脇側板３ａ、３ｃおよび前面側板６を天井板９、床枠８および隣接側板に固定する。そして、背面中間側板３ｂが固定される所定床枠８０を下げた状態とし、この状態で背面中間側板３ｂの下端、すなわち折り曲げ部３ｂ２を移動枠１１の上端、すなわち折り曲げ部１１ａに乗せる形で嵌め込み、次いで、長穴１３に沿って移動枠１１を背面中間側板３ｂと共に天井板９方向に押し上げ、この背面中間側板３ｂが天井板９に当接した状態でナット１５を締結し固定する。
【００１４】
本実施形態によれば、背面中間側板３ｂを嵌めこむ際に所定床枠８０を下げた状態とし、背面中間側板３ｂの上下に十分な余裕を確保することができることから、背面中間側板３ｂが天井板９に干渉することがなく、したがって、天井板９の意匠面に傷が付くことを防止できる。また、作業員は側板の組立てを乗かご内部から行なうことができることから作業効率の向上を図ることができる。
【図面の簡単な説明】
【００１５】
【図１】本発明の第１実施形態の要部構成を示し、（ａ）は中間側板を下げた状態、（ｂ）は中間側板を押し上げた状態を示す側面図である。
【図２】中間側板を下げた状態の正面図である。
【図３】エレベータの乗かごの平面図である。
【図４】従来の中間側板の嵌め込み動作を示し、図３のＸ−Ｘ線に沿う側面図である。
【符号の説明】
【００１６】
１          乗かご
３ａ、３ｃ  背面両脇側板
３ｂ        背面中間側板
７          床
８          床枠
９          天井板
１０        スライド手段
１１        移動枠
１２        固定枠
１３        長穴
１４        ボルト
１５        ナット
８０        所定床枠
【図１】
2005178924.tif 000003
【図２】
2005178924.tif 000004
【図３】
2005178924.tif 000005
【図４】
2005178924.tif 000006